(57)【要約】【課題】下肢に加えて足首や足裏などに対してもマッサージをすることができるものとする。【解決手段】座部１０の前方に上下に回動自在に配されて座部への着座者の下肢を保持するレッグレスト２と、レッグレスト２の先端に上下に回動自在に配されて着座者の足先部を保持するフットレスト３とを備える。レッグレスト２及びフットレスト３は着座者の下肢や足先部に対するマッサージのためのマッサージ手段を備える。上記フットレスト３はレッグレスト２と共に略水平状態にある時に着座者の足首部背面側を保持して足首部へのマッサージ手段によるマッサージを可能とするする。水平状態とした時にはレッグレスト２で保持した下肢に対するマッサージとフットレスト３で保持した足首部とに対するマッサージを得ることができる。【選択図】図１
2004337630.tif 000002
【特許請求の範囲】
【請求項１】
座部の前方に上下に回動自在に配されて座部への着座者の下肢を保持するレッグレストと、レッグレストの先端に上下に回動自在に配されて着座者の足先部を保持するフットレストとを備えるとともに、これらレッグレスト及びフットレストは着座者の下肢や足先部に対するマッサージのためのマッサージ手段を備えており、上記フットレストはレッグレストと共に略水平状態にある時に着座者の足首部背面側を保持して足首部へのマッサージ手段によるマッサージを可能とするものであることを特徴とする椅子式マッサージ機。
【請求項２】
レッグレストもしくはフットレストに設けられたマッサージ手段は、着座者の下肢もしくは足先部を納める溝部の内壁に位置して膨張収縮駆動される空気袋であることを特徴とする請求項１記載の椅子式マッサージ機。
【請求項３】
レッグレストの回動に連動してレッグレストに対しフットレストを回動させる連動手段を備えて、該連動手段はフットレストを略水平状態に常時保つものであることを特徴とする請求項１または２記載の椅子式マッサージ機。
【請求項４】
連動手段は、レッグレストに回動自在に連結されたフットレストと座部側とを連結しているリンクであることを特徴とする請求項３記載の椅子式マッサージ機。
【請求項５】
レッグレストは、略水平状態から先端側が座部下方に潜り込む位置まで回動自在となっていることを特徴とする請求項１〜４のいずれか１項に記載の椅子式マッサージ機。
【請求項６】
レッグレストとフットレストとを連結してフットレストに対するレッグレストの回動を許している軸は、略水平状態にあるレッグレストの前端と上端とに内接する円の中心に位置していることを特徴とする請求項１〜５のいずれか１項に記載の椅子式マッサージ機。  
【請求項７】
フットレストはレッグレストが鉛直下向きにある時に着座者の足裏を保持するものであることを特徴とする請求項１〜６のいずれか１項に記載の椅子式マッサージ機。
【発明の詳細な説明】
【技術分野】
【０００１】
本発明は椅子式マッサージ機、殊に座部より前方にあって下肢を支えることができるレッグレストにマッサージ手段を設けている椅子式マッサージ機に関するものである。
【背景技術】
【０００２】
マッサージ手段を備えたレッグレストを有している椅子式マッサージ機では、図６に示すように、座部１０の前端縁を中心とする上下方向の回動をレッグレスト２に行わせることができるようにして、レッグレスト２を使用しない時には座部１０の前端部下方にレッグレスト２を収納してしまうことができるようにしているのが通常である。
【０００３】
上記レッグレスト２は、その使用に際し、上記収納位置から上下に回動させて座部１０の前方に突出させ、この時、前後方向及び上方に向けて開口していることになる左右一対の溝部２０，２０に左右の下肢を夫々入れれば、マッサージ手段、たとえば膨張収縮する空気袋２２，２２によるところのマッサージが下肢に対してなされる。
【０００４】
しかし、上記のレッグレスト２を備えた椅子式マッサージ機では、下肢に対してマッサージを与えることができるだけであり、足首や足裏といった部分に対するマッサージは、このための他のマッサージ機によらねばならない。
【発明の開示】
【発明が解決しようとする課題】
【０００５】
本発明は上記の点に鑑みなされたものであって、下肢に加えて足首や足裏などに対してもマッサージをすることができる椅子式マッサージ機を提供することを課題とするものである。
【課題を解決するための手段】
【０００６】
しかして本発明は、座部の前方に上下に回動自在に配されて座部への着座者の下肢を保持するレッグレストと、レッグレストの先端に上下に回動自在に配されて着座者の足先部を保持するフットレストとを備えるとともに、これらレッグレスト及びフットレストは着座者の下肢や足先部に対するマッサージのためのマッサージ手段を備えており、上記フットレストはレッグレストと共に略水平状態にある時に着座者の足首部背面側を保持して足首部へのマッサージ手段によるマッサージを可能とするものであることに特徴を有している。レッグレストの先端にさらに足先部を保持するフットレストを設けて、このフットレストにもマッサージ手段を設けるとともに、レッグレストと共にフットレストを略水平状態にしたならば、フットレストが足首部の背面側を保持してマッサージ手段が足首部にマッサージを行うようにしたものである。
【０００７】
レッグレストもしくはフットレストに設けるマッサージ手段としては、着座者の下肢もしくは足先部を納める溝部の内壁に位置して膨張収縮駆動される空気袋が好適である。ソフトで且つ効果的なマッサージを着座者に対して与えることができる。
【０００８】
また、レッグレストの回動に連動してレッグレストに対しフットレストを回動させる連動手段を備えて、該連動手段はフットレストを略水平状態に常時保つものであると、レッグレストを回動させる時にフットレストのレッグレストに対する角度の調整をする必要がなく、使い勝手のよいものとすることができる。
【０００９】
そして、上記連動手段には、レッグレストに回動自在に連結されたフットレストと座部側とを連結しているリンクをに用いると、低コストで連動手段を構成することができる。
【００１０】
さらに、レッグレストは、略水平状態から先端側が座部下方に潜り込む位置まで回動自在となっていることが望ましい。フットレストの座部前方への突出長さを短くすることができるために、レッグレスト及びフットレストの収納時における椅子全体の全長を短くすることができる上に、フットレストに足を引っかけたりしてしまう虞を少なくすることができる。
【００１１】
そして、レッグレストとフットレストとを連結してフットレストに対するレッグレストの回動を許している軸は、略水平状態にあるレッグレストの前端と上端とに内接する円の中心に位置していると、レッグレストとフットレストとの間の隙間に指を挟んだりしてしまう虞を無くすことができる。
【００１２】
また、フットレストはレッグレストが鉛直下向きにある時に着座者の足裏を保持するものであると、足裏を保持してマッサージを行うことができる。
【発明の効果】
【００１３】
本発明は、レッグレストで保持した下肢に対するマッサージだけでなく、フットレストで保持した足先部に対するマッサージも行うことができ、着座者にしてみれば、より快適なマッサージを受けることができるものであり、特にレッグレストとフットレストを略水平状態にすれば、足裏ではなく足首部の背面がフットレストで保持された状態で足首部に対するマッサージと下肢に対するマッサージとを受けることができる。
【発明を実施するための最良の形態】
【００１４】
以下本発明を実施の形態の一例に基づいて詳述すると、図１及び図２において、上端面が肘掛けとなっている一対の側枠１１，１１間に座部１０を取り付けるとともに、座部１０の後方側に背もたれ１２を配している椅子１の前部には、図示していないリンクによって上下に回動自在とされたレッグレスト２が配設されている。このレッグレスト２は、座部１０の前端付近を中心として上下に回動するもので、図２に示す伸縮自在な支持手段９によって図３に示すほぼ水平状態と図２に示す下方に向けられた状態との間の任意の角度で固定することができるようになっている。なお、上記支持手段９としては、電動で伸縮するものや、伸張方向に付勢されているとともに内蔵弁の開閉で任意の長さの状態に固定することができるガススプリング等を用いることができるほか、手動で両端間の距離を変えることができるリンクを用いることができる。
【００１５】
また、レッグレスト２の先端側にはフットレスト３が連結されている。レッグレスト２に対して軸２１によって上下方向に回動自在となっているフットレスト３は、その基端側がリンク３１によって側枠１１に連結されており、フットレスト２を図２に示す状態から図３に示す状態に回動させる時、リンク３０によって後方側へ引っ張られることで、フットレスト３はレッグレスト２に対して軸２０を中心に回動し、図２に示すレッグレスト２に対してフットレスト３がほぼ９０度をなしている状態から、図３に示すレッグレスト２とフットレスト３とが一直線状に並ぶ状態へと移行する。逆に図３に示す状態からレッグレスト２を図２に示す状態に戻せば、レッグレスト２に対するフットレスト３の姿勢は、元の９０度をなす状態に戻る。
【００１６】
ここで、レッグレスト２は前後方向に走る左右一対の溝部２０，２０を備えたものであるとともに、図３に示す略水平状態において、上方及び前後方向に開放された両溝部２０の両側壁及び底壁に空気袋２２を位置させたものであり、またフットレスト３も前後方向に走る左右一対の溝部３０，３０を前部に備えて、上方及び前後方向に開放された両溝部３０，３０の両側壁及び底壁に空気袋３２を位置させたものであり、これら空気袋２２，３２は座部１０の下方に設置収納された給排気手段４に接続されている。この給排気手段４は、独立している各空気袋２２，３２を個別に膨張収縮させることができるもので、圧縮空気供給手段としてのエアポンプと、電磁弁などからなる分配手段と、これらを制御する制御手段とからなる。
【００１７】
今、図２に示す状態においてレッグレスト２の溝部２０，２０に下肢を嵌めるとともにフットレスト３の溝部３０，３０に足先を嵌めて上記給排気手段４を作動させれば、膨張収縮する空気袋２２，３２によるところのマッサージが下肢及び足先（足裏を含む）に対してなされるものであり、また図３に示すようにレッグレスト２及びフットレスト３を伸張させた状態において、レッグレスト２の溝部２０，２０に下肢を嵌めるとともにフットレスト３の溝部３０，３０に足首部を嵌めて上記給排気手段４を作動させれば、膨張収縮する空気袋２２，３２によるところのマッサージが下肢及び足首部に対してなされるものである。
【００１８】
なお、フットレスト３の後部はレッグレスト２に対するフットレスト３の上記回動を許すために、溝部３０，３０は備えていない。また、この回動のための軸２１は、略水平状態におけるレッグレスト２の側方から見て前端面及び上面に内接する円の中心とほぼ一致するところに位置させており、レッグレスト２の溝部２０の側壁とフットレスト３の溝部３０の側壁との間に大きな隙間が常時生じないようにしてある。このために、レッグレスト２とフットレスト３との間に指を挟んだりする虞がなくて安全である上に、下肢から足先部分にかけての空気袋２２，３２によるマッサージ対象部位がほぼ連続的になっている。
【００１９】
図４は上記レッグレスト２の下端を座部２に下方に潜り込ませて側面から見て座部２とレッグレスト２とフットレスト３がＺ字形をなすような状態までレッグレスト２を回動させることができるようにしたものを示している。座部２の前端からのフットレスト３の突出長を短くすることができるために、収納状態での椅子１全体としての前後長さを短くすることができるようにしたものであり、フットレスト３に人がつまづいたり物を引っ掛けてしまう虞を少なくすることができる。
【００２０】
上記の実施例では、レッグレスト２及びフットレスト３が備えるマッサージ手段が膨張収縮する空気袋２２，３２であるものを示したが、これに限定されるものではなく、他のマッサージ手段、例えば振動発生手段、回転駆動されるマッサージ用ローラ等であってもよい。また、レッグレスト２に設けたマッサージ手段と、フットレスト３に設けたマッサージ手段とが異なる種類のものであってもよい。
【００２１】
さらには、リンク３１を備えることでレッグレスト２の回動につれてフットレスト３がその姿勢を変化させるものを示したが、図５に示すように、フットレスト３の後端にレッグレスト２の下面に当接することになるストッパー３４を設けて、レッグレスト２を鉛直状態から略水平状態に移行させる時、上記ストッパー３４によってフットレスト３も略水平状態に移行し、レッグレスト２を略水平状態から鉛直状態に移行させる時には、フットレスト３がその自重及び床面との接地によって、レッグレスト２に対して略９０度をなす状態に戻るものであってもよい。上記ストッパー３４はフットレスト３側にではなく、レッグレスト２側に設けてもよい。
【図面の簡単な説明】
【００２２】
【図１】本発明の実施の形態の一例の斜視図である。
【図２】同上の破断側面図である。
【図３】同上のレッグレスト及びフットレストの伸張時の破断側面図である。
【図４】同上の他例の破断側面図である。
【図５】同上の別の例の破断側面図である。
【図６】従来例の斜視図である。
【符号の説明】
【００２３】
１  椅子
２  レッグレスト
３  フットレスト
１０  座部
２２  空気袋
３２  空気袋
【図１】
2004337630.tif 000003
【図２】
2004337630.tif 000004
【図３】
2004337630.tif 000005
【図４】
2004337630.tif 000006
【図５】
2004337630.tif 000007
【図６】
2004337630.tif 000008
【手続補正書】
【提出日】平成16年9月27日(2004.9.27)
【手続補正１】
【補正対象書類名】特許請求の範囲
【補正対象項目名】全文
【補正方法】変更
【補正の内容】
【特許請求の範囲】
【請求項１】
座部の前方に上下に回動自在に配されて座部への着座者の下肢を保持するレッグレストと、レッグレストの先端に上下に回動自在に配されて着座者の足先部を保持するフットレストとを備えるとともに、これらレッグレスト及びフットレストは着座者の下肢や足先部に対するマッサージのためのマッサージ手段を備えており、さらにレッグレストの回動に連動してレッグレストに対しフットレストを回動させてレッグレストの上方への回動に伴ってレッグレストとフットレストとのなす角度を大きくする連動手段を備えていることを特徴とする椅子式マッサージ機。
【請求項２】
連動手段はフットレストを略水平状態に常時保つものであることを特徴とする請求項１記載の椅子式マッサージ機。
【請求項３】
レッグレストとフットレストとを連結してフットレストに対するレッグレストの回動を許している軸は、略水平状態にあるレッグレストの前端と上端とに内接する円の中心に位置していることを特徴とする請求項１または２記載の椅子式マッサージ機。
【請求項４】
フットレストはレッグレストが鉛直下向きにある時に着座者の足裏を保持するものであることを特徴とする請求項１〜３のいずれか１項に記載の椅子式マッサージ機。
【手続補正２】
【補正対象書類名】明細書
【補正対象項目名】全文
【補正方法】変更
【補正の内容】
【発明の詳細な説明】
【技術分野】
【０００１】
本発明は椅子式マッサージ機、殊に座部より前方にあって下肢を支えることができるレッグレストにマッサージ手段を設けている椅子式マッサージ機に関するものである。
【背景技術】
【０００２】
マッサージ手段を備えたレッグレストを有している椅子式マッサージ機では、図６に示すように、座部１０の前端縁を中心とする上下方向の回動をレッグレスト２に行わせることができるようにして、レッグレスト２を使用しない時には座部１０の前端部下方にレッグレスト２を収納してしまうことができるようにしているのが通常である。
【０００３】
上記レッグレスト２は、その使用に際し、上記収納位置から上下に回動させて座部１０の前方に突出させ、この時、前後方向及び上方に向けて開口していることになる左右一対の溝部２０，２０に左右の下肢を夫々入れれば、マッサージ手段、たとえば膨張収縮する空気袋２２，２２によるところのマッサージが下肢に対してなされる。
【０００４】
しかし、上記のレッグレスト２を備えた椅子式マッサージ機では、下肢に対してマッサージを与えることができるだけであり、足首や足裏といった部分に対するマッサージは、このための他のマッサージ機によらねばならない。
【発明の開示】
【発明が解決しようとする課題】
【０００５】
本発明は上記の点に鑑みなされたものであって、下肢に加えて足首や足裏などに対してもマッサージをすることができる椅子式マッサージ機を提供することを課題とするものである。
【課題を解決するための手段】
【０００６】
しかして本発明は、座部の前方に上下に回動自在に配されて座部への着座者の下肢を保持するレッグレストと、レッグレストの先端に上下に回動自在に配されて着座者の足先部を保持するフットレストとを備えるとともに、これらレッグレスト及びフットレストは着座者の下肢や足先部に対するマッサージのためのマッサージ手段を備えており、さらにレッグレストの回動に連動してレッグレストに対しフットレストを回動させてレッグレストの上方への回動に伴ってレッグレストとフットレストとのなす角度を大きくする連動手段を備えていることに特徴を有している。レッグレストの先端にさらに足先部を保持するフットレストを設けて、このフットレストにもマッサージ手段を設けるとともに、レッグレストを上方に回動させれば、フットレストもレッグレストに対して回動してフットレストがレッグレストに対してなす角度が大きくなるようにしたものである。
【０００７】
また、連動手段はフットレストを略水平状態に常時保つものであると、レッグレストを回動させる時にフットレストのレッグレストに対する角度の調整をする必要がなく、使い勝手のよいものとすることができる。
【０００８】
そして、レッグレストとフットレストとを連結してフットレストに対するレッグレストの回動を許している軸は、略水平状態にあるレッグレストの前端と上端とに内接する円の中心に位置していると、レッグレストとフットレストとの間の隙間に指を挟んだりしてしまう虞を無くすことができる。
【０００９】
また、フットレストはレッグレストが鉛直下向きにある時に着座者の足裏を保持するものであると、足裏を保持してマッサージを行うことができる。
【発明の効果】
【００１０】
本発明は、レッグレストで保持した下肢に対するマッサージだけでなく、フットレストで保持した足先部に対するマッサージも行うことができ、着座者にしてみれば、より快適なマッサージを受けることができるものであり、特にレッグレストを上方に回動させれば、レッグレストとフットレストとのなす角度が変化するために、フットレストの存在にもかかわらずレッグレストから下肢が浮いてしまったりすることがなく、足先部に対するマッサージと下肢に対するマッサージとを受けることができる。
【発明を実施するための最良の形態】
【００１１】
以下本発明を実施の形態の一例に基づいて詳述すると、図１及び図２において、上端面が肘掛けとなっている一対の側枠１１，１１間に座部１０を取り付けるとともに、座部１０の後方側に背もたれ１２を配している椅子１の前部には、図示していないリンクによって上下に回動自在とされたレッグレスト２が配設されている。このレッグレスト２は、座部１０の前端付近を中心として上下に回動するもので、図２に示す伸縮自在な支持手段９によって図３に示すほぼ水平状態と図２に示す下方に向けられた状態との間の任意の角度で固定することができるようになっている。なお、上記支持手段９としては、電動で伸縮するものや、伸張方向に付勢されているとともに内蔵弁の開閉で任意の長さの状態に固定することができるガススプリング等を用いることができるほか、手動で両端間の距離を変えることができるリンクを用いることができる。
【００１２】
また、レッグレスト２の先端側にはフットレスト３が連結されている。レッグレスト２に対して軸２１によって上下方向に回動自在となっているフットレスト３は、その基端側がリンク３１によって側枠１１に連結されており、フットレスト２を図２に示す状態から図３に示す状態に回動させる時、リンク３０によって後方側へ引っ張られることで、フットレスト３はレッグレスト２に対して軸２０を中心に回動してレッグレスト２とフットレスト３とのなす角度を大きくするために、図２に示すレッグレスト２に対してフットレスト３がほぼ９０度をなしている状態から、図３に示すレッグレスト２とフットレスト３とが一直線状に並ぶ状態へと移行する。逆に図３に示す状態からレッグレスト２を図２に示す状態に戻せば、レッグレスト２に対するフットレスト３の姿勢は、元の９０度をなす状態に戻る。
【００１３】
ここで、レッグレスト２は前後方向に走る左右一対の溝部２０，２０を備えたものであるとともに、図３に示す略水平状態において、上方及び前後方向に開放された両溝部２０の両側壁及び底壁に空気袋２２を位置させたものであり、またフットレスト３も前後方向に走る左右一対の溝部３０，３０を前部に備えて、上方及び前後方向に開放された両溝部３０，３０の両側壁及び底壁に空気袋３２を位置させたものであり、これら空気袋２２，３２は座部１０の下方に設置収納された給排気手段４に接続されている。この給排気手段４は、独立している各空気袋２２，３２を個別に膨張収縮させることができるもので、圧縮空気供給手段としてのエアポンプと、電磁弁などからなる分配手段と、これらを制御する制御手段とからなる。
【００１４】
今、図２に示す状態においてレッグレスト２の溝部２０，２０に下肢を嵌めるとともにフットレスト３の溝部３０，３０に足先を嵌めて上記給排気手段４を作動させれば、膨張収縮する空気袋２２，３２によるところのマッサージが下肢及び足先（足裏を含む）に対してなされるものであり、また図３に示すようにレッグレスト２及びフットレスト３を伸張させた状態において、レッグレスト２の溝部２０，２０に下肢を嵌めるとともにフットレスト３の溝部３０，３０に足首部を嵌めて上記給排気手段４を作動させれば、膨張収縮する空気袋２２，３２によるところのマッサージが下肢及び足首部に対してなされるものである。
【００１５】
なお、フットレスト３の後部はレッグレスト２に対するフットレスト３の上記回動を許すために、溝部３０，３０は備えていない。また、この回動のための軸２１は、略水平状態におけるレッグレスト２の側方から見て前端面及び上面に内接する円の中心とほぼ一致するところに位置させており、レッグレスト２の溝部２０の側壁とフットレスト３の溝部３０の側壁との間に大きな隙間が常時生じないようにしてある。このために、レッグレスト２とフットレスト３との間に指を挟んだりする虞がなくて安全である上に、下肢から足先部分にかけての空気袋２２，３２によるマッサージ対象部位がほぼ連続的になっている。
【００１６】
図４は上記レッグレスト２の下端を座部２に下方に潜り込ませて側面から見て座部２とレッグレスト２とフットレスト３がＺ字形をなすような状態までレッグレスト２を回動させることができるようにしたものを示している。座部２の前端からのフットレスト３の突出長を短くすることができるために、収納状態での椅子１全体としての前後長さを短くすることができるようにしたものであり、フットレスト３に人がつまづいたり物を引っ掛けてしまう虞を少なくすることができる。
【００１７】
上記の実施例では、レッグレスト２及びフットレスト３が備えるマッサージ手段が膨張収縮する空気袋２２，３２であるものを示したが、これに限定されるものではなく、他のマッサージ手段、例えば振動発生手段、回転駆動されるマッサージ用ローラ等であってもよい。また、レッグレスト２に設けたマッサージ手段と、フットレスト３に設けたマッサージ手段とが異なる種類のものであってもよい。
【００１８】
さらには、リンク３１を備えることでレッグレスト２の回動につれてフットレスト３がその姿勢を変化させるものを示したが、図５に示すように、フットレスト３の後端にレッグレスト２の下面に当接することになるストッパー３４を設けて、レッグレスト２を鉛直状態から略水平状態に移行させる時、上記ストッパー３４によってフットレスト３も略水平状態に移行し、レッグレスト２を略水平状態から鉛直状態に移行させる時には、フットレスト３がその自重及び床面との接地によって、レッグレスト２に対して略９０度をなす状態に戻るものであってもよい。上記ストッパー３４はフットレスト３側にではなく、レッグレスト２側に設けてもよい。
【図面の簡単な説明】
【００１９】
【図１】本発明の実施の形態の一例の斜視図である。
【図２】同上の破断側面図である。
【図３】同上のレッグレスト及びフットレストの伸張時の破断側面図である。
【図４】同上の他例の破断側面図である。
【図５】同上の別の例の破断側面図である。
【図６】従来例の斜視図である。
【符号の説明】
【００２０】
１  椅子
２  レッグレスト
３  フットレスト
１０  座部
２２  空気袋
３２  空気袋